(57)【要約】  蓄電装置を容易に実装できる乗客コンベアの制御装置を提供する。乗客コンベアの制御装置は、受電電源からの電力を乗客コンベアのモータに供給するインバーターと、前記インバーターの動作を制御するインバーター制御回路と、前記受電電源の出力部に接続され、前記受電電源からの電力により充電され、前記受電電源からの電力供給が停止した際に前記インバーター制御回路に電力を供給する蓄電装置と、を備えた。当該を備えることにより、蓄電装置を容易に実装することができる。
2020161762.tif 000002
【特許請求の範囲】
【請求項１】
受電電源からの電力を乗客コンベアのモータに供給するインバーターと、
前記インバーターの動作を制御するインバーター制御回路と、
前記受電電源の出力部に接続され、前記受電電源からの電力により充電され、前記受電電源からの電力供給が停止した際に前記インバーター制御回路に電力を供給する蓄電装置と、
を備えた乗客コンベアの制御装置。
【請求項２】
前記受電電源から供給される電圧を検出する停電判定回路と、
前記蓄電装置と前記インバーター制御回路との間に設けられ、前記受電電源から供給される電力の電圧が予め定められた基準電圧以上である場合に開き、前記受電電源から供給される電力の電圧が予め定められた基準電圧未満である場合に閉じる接点と、
を備えた請求項１に記載の乗客コンベアの制御装置。
【請求項３】
前記インバーター制御回路は、停電時に前記蓄電装置から供給された電力により前記インバーターの動作を制御する請求項１または請求項２に記載の乗客コンベアの制御装置。
【発明の詳細な説明】
【技術分野】
【０００１】
この発明は、乗客コンベアの制御装置に関する。
【背景技術】
【０００２】
特許文献１は、乗客コンベアの制御装置を開示する。当該乗客コンベアの制御装置によれば、停電等が発生した場合に蓄電装置からインバーター装置および電源装置に電力を供給することができる。
【先行技術文献】
【特許文献】
【０００３】
【特許文献１】日本特開２００６−１５１５４５号公報
【発明の概要】
【発明が解決しようとする課題】
【０００４】
しかしながら、特許文献１に記載の乗客コンベアの制御装置においては、蓄電装置は、インバーター装置が備える平滑コンデンサに並列に接続される。蓄電装置からの電力で乗客コンベアを継続的に運転させるためには、大容量の蓄電装置が必要となる。このため、蓄電装置の実装性が悪い。【０００５】
この発明は、上述の課題を解決するためになされた。この発明の目的は、蓄電装置を容易に実装できる蓄電装置を備えた乗客コンベアの制御装置を提供することである。
【課題を解決するための手段】
【０００６】
この発明に係る乗客コンベアの制御装置は、受電電源からの電力を乗客コンベアのモータに供給するインバーターと、前記インバーターの動作を制御するインバーター制御回路と、前記受電電源の出力部に接続され、前記受電電源からの電力により充電され、前記受電電源からの電力供給が停止した際に前記インバーター制御回路に電力を供給する蓄電装置とを備えた。
【発明の効果】
【０００７】
この発明によれば、蓄電装置は、受電電源からの電力により充電される。蓄電装置は、受電電源からの電力供給が停止した際にインバーター制御回路に電力を供給する。このため、蓄電装置を容易に実装することができる。
【図面の簡単な説明】
【０００８】
【図１】実施の形態１における乗客コンベアの構成図である。
【図２】実施の形態１における乗客コンベアの制御装置の全体構成図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略する。
【００１０】
実施の形態１．
図１は実施の形態１における乗客コンベアの構成図である。
【００１１】
図１の乗客コンベアにおいて、下部乗降口１は、乗客コンベアの下部に設けられる。上部乗降口２は、乗客コンベアの上部に設けられる。
【００１２】
下部機械室３は、下部乗降口１の下方に設けられる。上部機械室４は、上部乗降口２の下方に設けられる。
【００１３】
複数のステップ５は、下部乗降口１と上部乗降口２との間に設けられる。複数のステップ５は、無端状に設けられる。
【００１４】
駆動装置１２は、上部機械室４の内部に設けられる。
【００１５】
次に、図２を用いて、制御装置１４を説明する。
図２は実施の形態１における乗客コンベアの制御装置の全体構成図である。
【００１６】
図２において、三相交流電源１５は、乗客コンベアに電力を供給する受電電源である。モータＭは、図２においては図示されない駆動装置１２に設けられる。
【００１７】
制御装置１４は、コンバーター１６と平滑電解コンデンサ１７とインバーター１８とインバーター制御回路１９と整流回路２０と蓄電装置２１と停電判定回路２２とリレー２３とを備える。
【００１８】
コンバーター１６の入力部は、三相交流電源１５の出力部に接続される。インバーター１８の入力部は、コンバーター１６の出力部に接続される。インバーター１８の出力部は、モータＭの入力部に接続される。平滑電解コンデンサ１７は、コンバーター１６の出力部とインバーター１８の入力部との間の直流母線に接続される。インバーター制御回路１９の制御出力部は、インバーター１８の制御入力部に接続される。
【００１９】
整流回路２０の入力部は、三相交流電源１５の出力部に接続される。例えば、整流回路２０の入力部において、第１配線は、三相交流電源１５の出力部における第１配線に接続される。第２配線は、三相交流電源１５の出力部における第２配線に接続される。
【００２０】
蓄電装置２１の入力部は、整流回路２０の出力部に接続される。蓄電装置２１の出力部は、インバーター制御回路１９の入力部に接続される。
【００２１】
停電判定回路２２の入力部は、整流回路２０の出力部に接続される。停電判定回路２２の出力部は、リレー用電源に接続される。
【００２２】
リレー２３は、接点２３ａとコイル２３ｂとを備える。接点２３ａは、バック接点である。接点２３ａは、蓄電装置２１の出力部とインバーター制御回路１９の入力部との間の配線上に設けられる。コイル２３ｂは、停電判定回路２２の出力部とリレー用電源との間の配線上に設けられる。
【００２３】
乗客コンベアに電源が入れられると、コンバーター１６は、三相交流電源１５から供給される交流電力を直流電力に変換する。平滑電解コンデンサ１７は、コンバーター１６から供給される直流電力を平滑する。インバーター１８は、平滑電解コンデンサ１７で平滑された直流電力の入力を受け付ける。インバーター制御回路１９は、インバーター１８の動作を制御する。その結果、所望の周波数の交流電力がモータＭに供給される。
【００２４】
整流回路２０は、三相交流電源１５から供給された単相交流電圧を直流電圧に整流する。停電判定回路２２は、乗客コンベアにおいて停電が発生した際に停電を検出する。停電判定回路２２は、整流回路２０で整流された直流電圧と予め定められた基準電圧とを比較する。例えば、停電判定回路２２は、コンパレータを使用して整流回路２０で整流された直流電圧と予め定められた基準電圧とを比較する。
【００２５】
通常時において、整流回路２０で整流された直流電圧が基準電圧以上である場合、停電判定回路２２は、停電モードではないと判定する。この場合、通常運転が行われる。この際、停電判定回路２２の動作により、リレー用電源からの電力がコイル２３ｂに供給されることで、接点２３ａが開く。
【００２６】
その結果、蓄電装置２１は、インバーター制御回路１９に電力を供給しない。この際、蓄電装置２１は、整流回路２０で整流された直流電圧により蓄電される。
【００２７】
なお、図示されないが、通常時において、インバーター制御回路１９には、三相交流電源または単相交流電源から供給される交流電力をコンバーターにおいて変換した直流電力が供給される。
【００２８】
一方、停電時等において、整流回路２０で整流された直流電圧が基準電圧未満である場合、停電判定回路２２は、停電モードであると判定する。この場合、停電運転が行われる。この際、停電判定回路２２の動作によりリレー用電源からの電力がコイル２３ｂに供給されないことで、接点２３ａが閉じる。
【００２９】
その結果、蓄電装置２１は、蓄えられた電力をインバーター制御回路１９のゲート駆動回路の電源に供給する。
【００３０】
この際、インバーター制御回路１９は、ゲート駆動回路の電源に蓄えられた電力によりインバーター１８の動作を継続して制御する。その結果、モータＭは、ゆっくり減速する。このため、乗客コンベアは、急停止しない。
【００３１】
なお、この際、モータＭには、通常時において平滑電解コンデンサ１７に充電された電力が供給される。
【００３２】
以上で説明した実施の形態１によれば、蓄電装置２１は、三相交流電源１５からの電力により充電される。蓄電装置２１は、三相交流電源１５からの電力供給が停止した際にインバーター制御回路１９に電力を供給する。この際、蓄電装置２１は、モータＭをゆっくり減速させるために必要な電力だけをインバーター制御回路１９に供給すればよい。このため、蓄電装置２１を大容量にする必要がなく、蓄電装置２１を容易に実装することができる。
【００３３】
また、停電判定回路２２は、停電状態を判定する。このため、停電であると判定した場合と停電ではないと判定した場合とで、蓄電装置２１からインバーター制御回路１９に電力を供給するモードと蓄電装置２１に電力を蓄電するモードとを自動的に切り替えることができる。
【００３４】
また、停電を検出して、蓄電装置２１からインバーター制御回路１９に電力を供給することができる。このため、乗客コンベアの急停止をより確実に抑制することができる。
【産業上の利用可能性】
【００３５】
以上のように、この発明に係る乗客コンベアの制御装置は、乗客コンベアに利用できる。
【符号の説明】
【００３６】
１  下部乗降口、  ２  上部乗降口、  ３  下部機械室、  ４  上部機械室、  ５  ステップ、  １２  駆動装置、  １４  制御装置、  １５  三相交流電源、  １６  コンバーター、  １７  平滑電解コンデンサ、  １８  インバーター、  １９  インバーター制御回路、  ２０  整流回路、  ２１  蓄電装置、  ２２  停電判定回路、  ２３  リレー、  ２３ａ  接点、  ２３ｂ  コイル
【図１】
2020161762.tif 000003
【図２】
2020161762.tif 000004
【手続補正書】
【提出日】令和3年2月3日(2021.2.3)
【手続補正１】
【補正対象書類名】特許請求の範囲
【補正対象項目名】全文
【補正方法】変更
【補正の内容】
【特許請求の範囲】
【請求項１】
受電電源からの電力を乗客コンベアのモータに供給するインバーターと、
前記インバーターの動作を制御するインバーター制御回路と、
前記受電電源の出力部に接続され、前記受電電源からの電力により充電され、前記受電電源からの電力供給が停止した際に前記インバーター制御回路に電力を供給する蓄電装置と、
前記受電電源から供給される電圧を検出する停電判定回路と、
前記蓄電装置と前記インバーター制御回路との間に設けられ、前記停電判定回路によって前記受電電源から供給される電力の電圧が予め定められた基準電圧以上であると判定された場合に開き、前記停電判定回路によって前記受電電源から供給される電力の電圧が予め定められた基準電圧未満であると判定された場合に閉じる接点と、
を備えた乗客コンベアの制御装置。
【請求項２】
前記インバーター制御回路は、停電時に前記蓄電装置から供給された電力により前記インバーターの動作を制御する請求項１に記載の乗客コンベアの制御装置。
【手続補正２】
【補正対象書類名】明細書
【補正対象項目名】０００６
【補正方法】変更
【補正の内容】
【０００６】
この発明に係る乗客コンベアの制御装置は、受電電源からの電力を乗客コンベアのモータに供給するインバーターと、前記インバーターの動作を制御するインバーター制御回路と、前記受電電源の出力部に接続され、前記受電電源からの電力により充電され、前記受電電源からの電力供給が停止した際に前記インバーター制御回路に電力を供給する蓄電装置と、前記受電電源から供給される電圧を検出する停電判定回路と、前記蓄電装置と前記インバーター制御回路との間に設けられ、前記停電判定回路によって前記受電電源から供給される電力の電圧が予め定められた基準電圧以上であると判定された場合に開き、前記停電判定回路によって前記受電電源から供給される電力の電圧が予め定められた基準電圧未満であると判定された場合に閉じる接点と、を備えた。
【国際調査報告】
2020161762.tif 000005
2020161762.tif 000006
2020161762.tif 000007